(57)【要約】      （修正有）【課題】資源消費と環境への悪影響を重力を利用して回転力を得ることで軽減する。【解決手段】回転棒の両側に固定した円盤周囲の重りにて生ずる装置の回転力により回転し、重り位置を逆回転する歯車を利用して回転前の位置に復帰させて装置の回転を継続する。回転棒の中央回転軸の両側に回転棒の長さを直径とし，重り大歯車の一端が乗る歯車受け棒を周囲に配置した回転棒円盤を固定する。その中心の円盤回転軸には回転棒の回転方向とは逆方向に回転数が回転棒の２倍の円盤歯車を装着する。円盤回転軸には円盤歯車と歯車受け棒に接触して周囲を自由に回転する重り大／小歯車を円盤回転軸と水平位置右側に装着して回転力を生成する。円盤歯車は回転棒の反対側の同一形状の持上歯車と同一の回転軸で固定する。持上歯車は装置回転軸を中心として支柱に固定した固定歯車と回転方向が逆方向となるように間に円盤歯車と逆回転用歯車を配置して回転棒が継続回転する。【選択図】図４
2009024690.tif 000002
【特許請求の範囲】
【請求項１】
水平方向の回転軸を持つ回転体の回転軸の周囲に配置した複数個の円形状軌道を重りが移動することにより回転体重心が回転軸よりずれて生ずる回転力で回転体が重力を利用して回転運動を継続させる装置。
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置では利用する資源により次の課題点が掲げられる。
風力は風が止まればエネルギーを生み出せないから常時の安定供給に難がある。
水力は大きな設備を必要として最終エネルギーを必要とする場所から遠く離れている。
火力は石油資源を消費することで温暖化等の大きな問題を生み出しており資源には限りがある。
原子力は事故が発生時の影響度が極端に大きくて最終的に後処理の難しい副産物を発生している。
電力は現在上記の何れかを必要としている。
【課題を解決するための手段】
【０００４】この重力利用回転装置はいつでも地球上の地域性によらず普遍的に存在している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】一本の回転棒の中央回転軸の両側に回転棒の長さ近くを直径として，重り大歯車の一端が乗るための歯車受け棒を周囲に配置した回転棒円盤を固定する。その中央の円盤回転軸には回転棒の回転方向とは逆方向に回転数が回転棒の２倍の円盤歯車を装着する。円盤回転軸には円盤歯車と歯車受け棒に接触して周囲を自由に回転できるように重り大／小歯車を円盤回転軸に対して水平位置右側に装着する。円盤歯車は回転棒の反対側の同一形状の持上歯車と同一の回転軸で固定する。持上歯車は装置回転軸を中心として支柱に固定した固定歯車と回転方向が逆方向となるように間に円盤歯車と同一形状の逆回転用歯車を配置して接続する。この回転棒を水平位置の装置台に垂直に固定した支柱の上端の装置回転軸に水平方向に回転できるように装着する。図では固定歯車と重り大歯車の歯数１６個，円盤歯車と重り小歯車の歯数８個，歯車受け棒３２個としている。
動作仕様
１．重りとなる重り大／小歯車がそれぞれの円盤回転軸の水平位置右側にあることから回転棒全体では重心が装置回転軸より右側に位置することからの装置回転軸の周りに時計方向の回転力が生じるので回転棒はその方向に回転を始める。
２．回転棒が時計周りに回転するとその回転角度の倍数分だけ持上歯車は反時計回りに回転して重り大／小歯車の位置を回転前の円盤回転軸の水平位置右側まで回転して復帰させる。
３．この動作の繰返しにより回転棒の何れの回転角度でも重り大／小歯車は初期の円盤回転軸の水平位置右側におおよそ位置付けられる。
４．生じる回転力は回転棒が水平位置で最大となり鉛直線方向で最小となるが０以下とはならないので何れの回転軸角度でも回転力が生じる。
５．結果として回転棒は時計回りに継続回転することとなる。
６．常時回転力が供給されるのである程度までは回転角速度は徐々に増大する。
７．生じる回転力は回転棒円盤径長さと重り重量に応じて増減する。
８．装置全体の回転力は同じ装置回転軸上に回転棒を等角度に２本，３本，．．．と本数を横に並べて増やすことで簡単に増大できる。
【図面の簡単な説明】
【０００７】
【図１】回転棒が水平時の半透過形式の正面図である。
【図２】回転棒が時計回りに４５度回転したときの半透過形式の正面図である。
【図３】回転棒が時計回りに９０度回転したときの半透過形式の正面図である。
【図４】回転棒が時計回りに１３５度回転したときの半透過形式の正面図である。
【図５】装置の正面図である。
【図６】装置の背面図である。
【図７】装置の側面図である。
【図８】装置の上面図である。
【符号の説明】
【０００８】図４を参照
【図１】
2009024690.tif 000003
【図２】
2009024690.tif 000004
【図３】
2009024690.tif 000005
【図４】
2009024690.tif 000006
【図５】
2009024690.tif 000007
【図６】
2009024690.tif 000008
【図７】
2009024690.tif 000009
【図８】
2009024690.tif 000010
【手続補正書】
【提出日】平成20年3月4日(2008.3.4)
【手続補正１】
【補正対象書類名】明細書
【補正対象項目名】全文
【補正方法】変更
【補正の内容】
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置では利用する資源により次の課題点が掲げられる。
風力は風が止まればエネルギーを生み出せないから常時の安定供給に難がある。
水力は大きな設備を必要として最終エネルギーを必要とする場所から遠く離れている。
火力は石油資源を消費することで温暖化等の大きな問題を生み出しており資源には限りがある。
原子力は事故が発生時の影響度が極端に大きくて最終的に後処理の難しい副産物を発生している。
電力は現在上記の何れかを必要としている。
【課題を解決するための手段】
【０００４】この重力利用回転装置はいつでも地球上の地域性によらず普遍的に存在している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】図１は装置の簡単な概念図である。装置台支柱の上端に自由に回転できる回転棒を取り付ける。その回転棒の両端にそれぞれ円盤を固定して取り付ける。それぞれの円盤の４５度上方の円周上に重りを固定して取り付ける。この状態で回転棒は中心の回転軸からの重りの水平距離の差から回転軸を中心に時計周りに回転を開始する。このときの回転力を利用して円周上の重りを固定しないで回転棒の回転と同期して反時計周りに円周上を４５度上方の位置を保持するように回転移動させることで回転軸時計周りの回転力を維持して回転運動を継続させる装置が以下である。
回転棒は回転軸と円周上重りの距離を有効使用するために円盤半径の半分程度として円盤２個が衝突しないように回転軸を中心に前後に回転軸棒を使用して固定接続する。円盤は重りが円周上を滑らないように歯車を使用する。円周上重りは同様に滑らないように歯車を使用する。重り歯車が円周上を時計周りに転がり落ちるのを防止するのと回転棒の回転に同期して重り歯車を円周上反時計周りに回転移動するための同期歯車を重り歯車の上部に取り付ける。同期歯車は円盤歯車と同様に装置台に取り付けた別個の同期支柱上端を中心として円盤歯車と同期して回転する。円盤歯車中心と同期歯車中心は同期棒の両端を使用して回転できるように接続する。同期棒には正面からみて重り歯車と同じ位置に円盤歯車と同期歯車を接続するように重り歯車と同一歯車を接続歯車として位置を固定して取り付ける。重り歯車は円盤歯車と同期歯車を接続するように円盤歯車に乗せる形式となるが円盤上から横にずれないように同期歯車軸棒と２本の接続棒を使用して自由に上下移動ができるように接続する。また重り歯車は円盤歯車と接触する半径が小さい歯車と同期歯車と接触する半径が大きい歯車の２個を張り合わせたものとしている。これは重り歯車重量を有効に円盤歯車に伝えることと重り歯車の円盤歯車円周上の回転に必要な力を軽減することを目的としている。図ではわかりやすいように歯車の歯数を少なくしているがこの歯数を増やすことで回転はよりスムーズとなる。円盤歯車や他歯車のサイズは大きいほど効果があるが円盤歯車が３０ｃｍくらいから実現できる。重り歯車は重い程効果があるが他部品の重量は無視できる。
動作仕様
１．円盤歯車円周上の重り歯車の位置関係から生じる回転軸時計周りの回転力により回転棒は回転軸時計周りに回転を開始する。
２．回転棒が時計周りに回転すると円盤歯車の回転は同期棒の接続歯車を通じて同期歯車の回転運動へと伝わり，結果重り歯車への反時計周りの回転運動となるために重り歯車は円盤歯車円周上を反時計周りに回転棒と同期して移動する。
３．この動作の繰返しにより回転棒の何れの回転角度でも重り歯車は初期の円盤歯車円周上の４５度上方に位置付けられる。
４．生じる回転力は回転棒の何れの回転軸角度でも生じているので回転棒は時計回りに回転を継続することとなる。
５．生じる回転力は円盤歯車半径と重り重量に応じて増減する。
６．装置全体の回転力は同じ装置回転軸上に回転棒を等角度に２本，３本，．．．と本数を横に並べて増やすことで簡単に増大できる。
【図面の簡単な説明】
【０００７】
【図１】装置の簡単な概念図
【図２】回転棒が  ９０度の状態の半透過形式の装置正面図である。
【図３】回転棒が  ４５度の状態の半透過形式の装置正面図である。
【図４】回転棒が    ０度の状態の半透過形式の装置正面図である。
【図５】回転棒が−４５度の状態の半透過形式の装置正面図である。
【図６】回転棒が    ０度の状態の半透過形式の装置上面図である。
【図７】回転棒が  ９０度の状態の半透過形式の装置側面図である。
【図８】回転棒が    ０度の状態の半透過形式の装置上面図である。
【符号の説明】
【０００８】１．装置台
２．支柱
３．回転棒
４．円盤歯車
５．重り歯車
６．同期歯車
７．同期支柱
８．同期棒
９．接続歯車
１０．接続棒
【手続補正２】
【補正対象書類名】図面
【補正対象項目名】全図
【補正方法】変更
【補正の内容】
【図１】
2009024690.tif 000011
【図２】
2009024690.tif 000012
【図３】
2009024690.tif 000013
【図４】
2009024690.tif 000014
【図５】
2009024690.tif 000015
【図６】
2009024690.tif 000016
【図７】
2009024690.tif 000017
【図８】
2009024690.tif 000018
【手続補正書】
【提出日】平成20年7月18日(2008.7.18)
【手続補正１】
【補正対象書類名】明細書
【補正対象項目名】全文
【補正方法】変更
【補正の内容】
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置では利用する資源により次の課題点が掲げられる。
風力は風が止まればエネルギーを生み出せないから常時の安定供給に難がある。
水力は大きな設備を必要として最終エネルギーを必要とする場所から遠く離れている。
火力は石油資源を消費することで温暖化等の大きな問題を生み出しており資源には限りがある。
原子力は事故が発生時の影響度が極端に大きくて最終的に後処理の難しい副産物を発生している。
電力は現在上記の何れかを必要としている。
【課題を解決するための手段】
【０００４】この重力利用回転装置はいつでも地球上の地域性によらず普遍的に存在している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】水平装置台上に垂直に支柱を固定する。この支柱の上端水平方向に装置回転軸を固定して自由に回転できる回転棒を装着する。その回転棒の両端にそれぞれ回転棒長さより短い直径を有する主円盤を固定して取り付ける。この主円盤の周囲には内側と外側に同数の歯数を保有するリング状歯車を固定する。この２個の主円盤の間には後述する歯車の内側小歯車が通過できる空間を用意する。
主円盤の中心には水平方向に主円盤回転軸を固定して自由に回転できる伝達歯車を装着する。この主円盤回転軸には他に主円盤外側歯車と接して自由に回転する同期歯車を接続する同期棒を接続する。この同期棒には同期歯車と伝達歯車の両者に接して自由に回転できる逆回転歯車を装着する。
また主円盤回転軸にはもうひとつの主円盤内側歯車に乗せているだけの錘歯車を接続する錘棒を接続する。錘棒は錘歯車が主円盤内側歯車から外に転がり落ちるのを防止するもので錘歯車重量を主円盤内側歯車に伝えることを阻害しない。この錘歯車は歯車形状に影響を受けるがこの図のような形状にすると鉛直線下方から３０°程度の角度が離隔しても主円盤内側を転がり落ちずにその位置に留まることができるのでこの装置ではこの角度を錘歯車位置角度としている。
同期歯車と錘歯車は重量による力と慣性メーメントなどの運動効率から主円盤に接する内側小半径歯車（図では６本のピンとしている）と他と接する大半径歯車の２部から構成されている。
回転棒回転を効率よくするために回転棒と錘歯車は時計回り，同期歯車は反時計回り方向のみとする逆回転防止装置をそれぞれに取り付ける。
動作仕様
１．回転棒を水平方向に手で静止した状態が図１である。３個の逆回転防止装置を装着しないと錘歯車は主円盤内側歯車を自由に転がり，同期歯車は主円盤外側歯車を自由に回転するが両者の相対位置角度は維持されて錘歯車の転がり落ちる力と同期歯車の転がり落ちる力の双方が伝達歯車に伝わり両者の力が均衡する位置で錘歯車も同期歯車も静止する。この位置は錘歯車と同期歯車は同一なので錘歯車が転がり落ちる力が殆ど存在しないことから同期歯車は主円盤回転軸の鉛直線下方となる。
２．３個の逆回転防止装置を装着して回転棒を水平方向に静止している手を離して回転棒を自由に回転できるようにすると，回転棒の回転にはこの時点では同期歯車は無関係であり，錘歯車の装置回転軸からの水平方向距離に応じて回転力が生じることから図１の状態では装置回転軸に対して時計周りの回転力が生じて回転棒は時計周りに回転を開始する。このときに主円盤に接している錘歯車と同期歯車は回転棒と主円盤と共に同一位置角度を維持して装置回転軸周りに回転する。この状態が図２で水平方向に対して１５°回転棒は時計周りに回転している。
３．回転棒が回転を開始すると回転角度に応じて錘歯車による回転棒の回転力は低下して，逆に伝達歯車による回転捧の反時計回り回転力が生じて徐々に増大する。この回転棒の反時計回り回転力は回転棒の逆回転防止装置により回転棒の反時計回り回転は防止されて，伝達歯車の主円盤外側歯車に接して転がり落ち始める。この伝達歯車の反時計回り回転力は逆回転歯車の時計回り回転力と伝達歯車の反時計回り回転力を経由して錘歯車の時計回り回転力となるので錘歯車は主円盤内側歯車を時計回りに回転して移動する。この回転運動は伝達歯車が回転開始前の鉛直線下方の位置に達するまで加速されて主円盤回転軸に対する錘歯車と伝達歯車の位置角度は回転運動前に復元する。この状態が図３となる。
４．伝達歯車は回転しながら鉛直線下方の位置に達することとなるので鉛直線下方を通過してから回転を静止することとなるが，この場合は錘歯車と伝達歯車には共に逆回転防止装置を装備しているので双方が回転棒の回転力に貢献しながら回転を静止した状態で回転運動前の位置に戻ることとなる。
５．この一連の動作は回転棒の何れの回転角度においても同様であることから，この装置では同期歯車が鉛直線下方を前後に回転移動しながら，回転棒が静止している状態から時計回りに回転運動を開始して徐々に回転速度を増大して継続することとなる。
６．生じる回転力は円盤歯車半径と錘重量に応じて増減する。
７．装置全体の回転力は同じ装置回転軸上に回転棒を等角度に２本，３本，．．．と本数を横に並べて増やすことで簡単に増大できる。
【図面の簡単な説明】
【０００７】錘歯車と伝達歯車の小歯車を示すピン６本を見やすいように図では強調している。
錘歯車と伝達歯車の衝突を避けるために主円盤内側と外側を手前と奥の２つに分割している。【図１】回転棒０度（水平方向）の状態の半透過形式の装置正面図である。
【図２】回転棒１５度の伝達歯車回転前状態の半透過形式の装置正面図である。主円盤回転軸の回転軌道を円で回転棒の回転角度を点線で示す。
【図３】回転棒１５度の伝達歯車最下点状態の半透過形式の装置正面図である。主円盤回転軸の回転軌道を円で回転棒と歯車の回転角度を点線で示す。
【図４】回転体と支柱に接続する逆回転防止装置である。ストッパーが自身重量を利用して時計回りのみの回転を可能としている。
【図５】回転捧が０度の状態の半透過形式の装置側面図である。
【図６】回転棒が０度の状態の半透過形式の装置上面図である。
【符号の説明】
【０００８】  １．装置台
２．支柱
３．回転棒
４．主円盤
５．錘歯車
６．同期歯車
７．伝達歯車
８．逆回転歯車
９．錘小歯車
１０．同期小歯車
１１．ストッパー
【手続補正２】
【補正対象書類名】図面
【補正対象項目名】全図
【補正方法】変更
【補正の内容】
【図１】
2009024690.tif 000019
【図２】
2009024690.tif 000020
【図３】
2009024690.tif 000021
【図４】
2009024690.tif 000022
【図５】
2009024690.tif 000023
【図６】
2009024690.tif 000024